(57)【要約】【課題】遠心圧縮機において、簡便な構造で作動領域を広げる。【解決手段】ディフューザ１８において、各くさび形ブロック３９の各側面とハブ側壁面３２とシュラウド側壁面とによって複数のチャンネル型の流路３０を構成する。各くさび形ブロック３９の各側面を、各屈曲部４１，４２よりも下流側における各側面のインペラ回転円周の接線方向に対する角度が、各屈曲部４１，４２よりも上流側におけるサクション側壁面３３のインペラ回転円周の接線方向に対する角度よりも小さくなるように屈曲させる。【選択図】図２
2008163821.tif 000002
【特許請求の範囲】
【請求項１】
サクション側壁面とプレッシャ側壁面とシュラウド側壁面とハブ側壁面とを備え、流入した流体を圧力回復させて流出させるチャンネル型ディフューザを備える遠心圧縮機において、
流体出口におけるサクション側壁面及びプレッシャ側壁面のインペラ回転円周の接線方向に対する各角度は、流体入口におけるサクション側壁面及びプレッシャ側壁面のインペラ回転円周の接線方向に対する各角度よりも小さくなっていること、
を特徴とする遠心圧縮機。
【請求項２】
請求項１に記載の遠心圧縮機において、
サクション側壁面は流路面積がスロート部の略１．１倍となる位置においてインペラ回転円周の接線方向に対する角度が小さくなり、プレッシャ側壁面は流路面積がスロート部の略１．２倍となる位置においてインペラ回転円周の接線方向に対する角度が小さくなること
を特徴とする遠心圧縮機。
【請求項３】
請求項１または２に記載の遠心圧縮機において、
インペラのシュラウド側壁面又はハブ側壁面のそれぞれの延長上にあるディフューザの各壁面は、それぞれスロート部と流体出口との間においてシュラウド側又はハブ側あるいは両側に向かって広がっていること
を特徴とする遠心圧縮機。
【請求項４】
請求項１から３のいずれか１項に記載の遠心圧縮機において、
インペラのシュラウド側壁面又はハブ側壁面のそれぞれの延長上にあるディフューザの各壁面は、それぞれ流路面積がスロート部の略１．１倍となる位置と流体出口との間においてシュラウド側又はハブ側あるいは両側に向かって広がっていること
を特徴とする遠心圧縮機。
【発明の詳細な説明】
【技術分野】
【０００１】
本発明は、遠心圧縮機のディフューザの構造に関する。
【背景技術】
【０００２】
気体を圧縮するための圧縮機の一つとして遠心圧縮機１０が知られている。従来の遠心圧縮機１０は、例えば、図６に示すように、インペラ１１が取り付けられた回転軸１２と回転軸１２を回転自在に支持するハウジング１４とシュラウド１５とスクロール１７とを備えている。インペラ１１は、回転軸１２に嵌まり込んでいる円筒形部分と円筒形部分から半径方向に延びた円板状部分とを持つハブ１３と、ハブ１３に固定される回転翼１９とを備えている。回転翼１９は、内周側から外周側に延びた複数の翼で構成されている。シュラウド１５はインペラ１１の回転翼１９との間に微小な隙間を空けて、その内面形状が回転翼１９の外形に沿った形状となっている。各回転翼１９とハブ１３とシュラウド１５によって囲まれる領域は流体の流路を構成する。
【０００３】
シュラウド１５はインペラ１１への流体吸い込み側には吸い込み口１６を備え、インペラ１１の流体出口側には、インペラ１１を通った流体の圧力回復を行うディフューザ１８とスクロール１７を備えている。ディフューザ１８はインペラ１１出口に設けられた半径方向に向かった平行流路であり、流路の中に複数の静翼２０を備えている。静翼２０はインペラ１１からディフューザ１８に入る流体の方向に沿うように設けられている。スクロール１７はディフューザ１８の複数の静翼２０の間の流路から吐出された流体を集合させる渦巻状の管路である（例えば、特許文献１参照）。
【０００４】
図６に示す遠心圧縮機１０の中の流体の流れについて説明する。吸い込み口１６から遠心圧縮機１０に吸い込まれた流体は、インペラ１１に吸い込まれる。そして、インペラ１１に設けられた複数の回転翼１９とハブ１３とシュラウド１５によって構成される流路を流れていく。この流路は、入口側は回転軸１２と同軸方向であるが、下流に向かうに従って、ハブ１３の流体側面に従って半径方向に流れの方向が変化していく流路である。回転翼１９が回転軸１２によって回転し、この流路内部を流れる流体に回転力を与え、その回転力によって流体は回転しながらインペラ１１の流路に沿って半径方向に向かって流れていく。そして、流体はインペラ１１から吐出され、ディフューザ１８に流入する。ディフューザによって減速されて、圧力回復した流体はスクロール１７に流入する。スクロール１７には複数の静翼２０によって構成されている複数のディフューザ１８の流路を通った流体が集合され、更に圧力が回復されて吐出口から外部に吐出される。
【０００５】
このような遠心圧縮機１０のインペラ１１の出口における流速分布を図７に示す。インペラ１１に吸い込まれた流体はハブ１３に沿ってその流れの方向が軸方向から半径方向に変わっていく。この流れの方向を子午面方向という。インペラ１１の出口においては、子午面方向は半径方向となっている。この流れの方向が変化していく際に、流体は遠心力によってハブ１３の側に押し付けられるので、インペラ１１内の流路のハブ１３に近い側は流量が多く流速も早いが、逆のシュラウド１５に近い側は流量が少なく、流速も遅くなっている。このため、図７に示すように、インペラ１１出口においては両方の壁面に接する部分の流速は壁面との摩擦によって減速され中央部の流速よりも小さくなっているが、壁面より離れた流体が流れている部分では、ハブ側子午面方向速度Ｖｈのほうがシュラウド側子午面方向速度Ｖｓよりも大きくなっている。
【０００６】
図８に示すように、インペラ１１は回転軸に固定されており、所定の回転数によって回転し、その流体出口、あるいはインペラ１１の先端の回転方向速度はｕとなっている。インペラ１１の複数の回転翼１９の間に形成された流体流路を流れる流体のインペラ１１の出口での流れの方向は、回転翼１９の出口の方向となっている。そしてハブ側子午面方向速度Ｖｈのほうがシュラウド側子午面方向速度Ｖｓよりも大きくなっていることから、ハブ側の回転翼１９に沿った方向のハブ側出口流速Ｗｈはシュラウド側の回転翼１９に沿った方向のシュラウド側出口流速Ｗｓよりも速くなっている。インペラ１１の回転速度はハブ側もシュラウド側も同じ回転速度であることから、インペラ１１の流路内の流体はいずれもインペラ１１の回転方向に回転速度ｕをもって移動している。このことからインペラ１１の内部の回転翼１９に沿った方向のハブ側出口流速Ｗｈ，シュラウド側出口流速Ｗｓと回転方向の回転速度ｕとを合成したハブ側、シュラウド側のそれぞれの合成速度ベクトルＣｈ，Ｃｓは、図８に示すように各方向がずれることとなる。そして、シュラウド側の合成速度ベクトルＣｓのインペラ回転円周の接線方向に対する角度であるシュラウド側流出角αｓは、ハブ側の合成速度ベクトルＣｈのインペラ回転円周の接線方向に対する角度であるハブ側流出角αｈよりも小さくなる。また、インペラ１１の外周とディフューザ１８の入口側内周との隙間は少ないことから、このシュラウド側流出角αｓ、ハブ側流出角αｈはそれぞれディフューザ１８のシュラウド側流入角βｓ、ハブ側流入角βｈに略等しくなる。
【０００７】
また、図６に示すような平行壁の間に設けられたディフューザ１８の内部において、ディフューザ損失が無い場合には、流体は等角ら線となることが知られている。等角ら線はディフューザ１８の入口におけるディフューザ内周の接線方向に対する流線のなす角度がディフューザ１８の出口におけるディフューザ外周の接線方向に対する流線のなす角度に等しくなるような曲線である。ディフューザ内周と外周とでは半径が大きくなっていることから、この等角ら線は、ディフューザ内周から外周に向かう直線よりも内周側に曲がった曲線となる。このため、ディフューザ１８に流入したハブ側の流体は、ディフューザ１８にハブ側流入角βｈで流入した後、図８の流線５１に示す様に、直線状にディフューザ１８の出口に向かって流れずに、ディフューザ１８の内周側に傾いた曲線状に流れていく。また、シュラウド側も同様にディフューザ１８の入口にシュラウド側流入角βｓにて流入した後、図８の流線５２に示すように、ディフューザ１８の内周側に傾いた曲線状に流れていく。
【０００８】
【特許文献１】特開２００４−２７９３２号公報
【発明の開示】
【発明が解決しようとする課題】
【０００９】
シュラウド側流入角βｓはハブ側流入角βｈよりも小さいことから、シュラウド側を流れる流体は、ハブ側を流れる流体よりも静翼２０のサクション側壁面３３から離れる方向に流れていくことに加えて、上記のように流体の流線が静翼２０のサクション側壁から離れる方向に向かうことから、静翼２０のサクション側では流れの剥離がおきやすく、サージ現象が発生しやすくなっている。特に、流量が減少してくると、シュラウド側出口流速Ｗｓはハブ側出口流速Ｗｈよりも大きく減少することから、更にサージ現象が発生しやすくなるため、遠心圧縮機の作動範囲が狭くなるという問題があった。また、サージ現象が発生しなくとも、流れの剥離によってディフューザ１８の効率が低下するという問題があった。
【００１０】
そこで、このような問題を解決するために特許文献１に記載された従来技術では、ディフューザ１８の静翼２０のハブ側とシュラウド側との取付角度を変更することによって、静翼２０のサクション側における流れの剥離を低減しサージ現象の発生を低減するようにしている。しかし、ディフューザ１８の静翼２０は、複数の翼列を一体として製造することが多いことから、このようにハブ側とシュラウド側において入口角度を変更する構造は、製造に手間がかかるという問題があった。
【００１１】
本発明は、簡便な構造で遠心圧縮機の作動領域を広げることを目的とする。
【課題を解決するための手段】
【００１２】
本発明の遠心圧縮機は、サクション側壁面とプレッシャ側壁面とシュラウド側壁面とハブ側壁面とを備え、流入した流体を圧力回復させて流出させるチャンネル型ディフューザを備える遠心圧縮機において、流体出口におけるサクション側壁面及びプレッシャ側壁面のインペラ回転円周の接線方向に対する各角度は、流体入口におけるサクション側壁面及びプレッシャ側壁面のインペラ回転円周の接線方向に対する各角度よりも小さくなっていること、を特徴とする。また、本発明の遠心圧縮機において、サクション側壁面は流路面積がスロート部の略１．１倍となる位置においてインペラ回転円周の接線方向に対する角度が小さくなり、プレッシャ側壁面は流路面積がスロート部の略１．２倍となる位置においてインペラ回転円周の接線方向に対する角度が小さくなること、としても好適である。
【００１３】
本発明の遠心圧縮機において、インペラのシュラウド側壁面又はハブ側壁面のそれぞれの延長上にあるディフューザの各壁面は、それぞれスロート部と流体出口との間においてシュラウド側又はハブ側あるいは両側に向かって広がっていること、としても好適であるし、インペラのシュラウド側壁面又はハブ側壁面のそれぞれの延長上にあるディフューザの各壁面は、それぞれ流路面積がスロート部の略１．１倍となる位置と流体出口との間においてシュラウド側又はハブ側あるいは両側に向かって広がっていること、としても好適である。
【発明の効果】
【００１４】
本発明は、簡便な構造で遠心圧縮機の作動領域を広げることができるという効果を奏する。
【発明を実施するための最良の形態】
【００１５】
以下、図面を参照しながら本発明の好適な実施形態について説明する。図１に示すように、本実施形態の遠心圧縮機１０は、インペラ１１と、インペラ１１が取り付けられた回転軸１２と、回転軸１２を回転自在に支持する図示しないハウジングと、インペラ１１の回転面に沿って微小隙間を空けて設けられたシュラウド１５と、インペラ１１を通った流体の圧力回復を行うディフューザ１８と、ディフューザ１８から吐出された流体を集合させる渦巻状の管路であるスクロール１７と、を備えている。
【００１６】
インペラ１１は回転軸１２に固定され、回転軸方向から半径方向に向かって流路を変化させていくハブ１３とハブ１３に固定された回転翼１９とを有している。回転翼１９のハブ１３に固定された側が回転翼１９のハブ側端２３であり、シュラウド１５の側にある開放端がシュラウド側端２１である。回転翼１９のシュラウド側端２１のハブ１３と対向する面には微小に隙間を空けてシュラウド１５が設けられており、回転翼１９とハブ１３とシュラウド１５によって流体流路が構成される。回転翼１９はシュラウド１５の吸い込み口１６から軸方向に吸い込んだ流体を半径方向に向かって効率よく吐出することができるように各回転翼１９は流体入口から出口に向かってねじられている。各回転翼１９の高さは、流体入口から流体出口に向かって流路幅となる回転翼１９の直径が大きくなっていくことに反比例して、次第に低くなり、流体入口から出口に向かって略一定の流路面積となるように構成されている。
【００１７】
ディフューザ１８はハブ１３の側のハウジングに固定された円板状のハブ側壁３１と、ハブ側壁３１の内面であるハブ側壁面３２に固定された平板状のくさび形ブロック３９と、くさび形ブロック３９に接してシュラウド１５と連続するように構成された円板状のシュラウド側壁３７と、を備えている。複数のくさび形ブロック３９は、ハブ側壁面３２にその先端がディフューザ１８の内周側に向き、各側面が流体の流れ方向となるように固定されている。各くさび形ブロック３９は、円周方向に等間隔に配置され、各くさび形ブロック３９の各側面とハブ側壁３１の内面であるハブ側壁面３２と、シュラウド側壁３７の内面であるシュラウド側壁面３８とによって複数のチャンネル型の流路３０が構成されている。そして、各くさび形ブロック３９のインペラ１１の回転方向側の面はサクション側壁面３３を形成し、反対側の面はプレッシャ側壁面３５を形成する。
【００１８】
図２に本実施形態の遠心圧縮機１０のインペラ１１とディフューザ１８とを吸い込み側から見た図を示す。図２に示すように、ハブ１３に取り付けられた各回転翼１９は流体入口側から出口側に向かって次第にその翼高さが低くなっている。また、各回転翼１９は回転方向に対して反対側に向かって湾曲するように構成され、インペラ１１の回転数、外径、各回転翼１９のインペラ１１の回転円周の接線方向に対する翼の角度である出口翼角によって所定の圧力比と流量が出るように構成されている。
【００１９】
図２、図３に示すように、各くさび形ブロック３９の間に構成されているチャンネル型の流路３０は、ディフューザ１８の内周側の流体入口から、外周側の流体出口に向かって、開き角δをもって外周側に行くほど流路幅が広くなるように構成されている。くさび形ブロック３９の対向するプレッシャ側壁面３５とサクション側壁面３３と、ハブ側壁面３２と、シュラウド側壁面３８と、によって構成される流路３０は、ディフューザ１８の内周側において最もその流路断面積が狭くなっている。この最小流路断面積の部分がスロート部である。本実施形態においては、ハブ側壁面３２とシュラウド側壁面３８とは平行になっていることから、スロート部においては、プレッシャ側壁面とサクション側壁面３３との距離が最小の距離ｄ１となっている。そして、下流に向かって開き角δに見合っただけ壁面間距離が大きくなっていく様に構成されている。
【００２０】
流路３０の下流に向かって、プレッシャ側壁面３５とサクション側壁面３３との距離が最小の距離ｄ１の１．１倍の距離のｄ２となっている部分にサクション側壁面屈曲部４１が設けられている。サクション側壁面屈曲部４１は、このサクション側壁面屈曲部４１よりも流れの下流側におけるサクション側壁面３３のインペラ回転円周の接線方向に対する角度が、サクション側壁面屈曲部４１よりも流れの上流側におけるサクション側壁面３３のインペラ回転円周の接線方向に対する角度よりも小さくなるように、サクション側壁面３３をディフューザ１８の内周側に向かって屈曲させている部分である。これにより、ディフューザ１８の流体出口におけるサクション側壁面３３のインペラ回転円周の接線方向に対する各角度は、ディフューザ１８の流体入口におけるサクション側壁面３３のインペラ回転円周の接線方向に対する角度よりも小さくなっている。
【００２１】
また、流路３０の下流に向かって、プレッシャ側壁面３５とサクション側壁面３３との距離が最小の距離ｄ１の１．２倍の距離のｄ３となっている部分にプレッシャ側壁面屈曲部４２が設けられている。プレッシャ側壁面屈曲部４２は、このプレッシャ側壁面屈曲部４２よりも流れの下流側におけるプレッシャ側壁面３５のインペラ回転円周の接線方向に対する角度が、プレッシャ側壁面屈曲部４２よりも流れの上流側におけるプレッシャ側壁面３５のインペラ回転円周の接線方向に対する角度よりも小さくなるように、プレッシャ側壁面３５をディフューザ１８の内周側に向かって屈曲させている部分である。これにより、ディフューザ１８の流体出口におけるプレッシャ側壁面３５のインペラ回転円周の接線方向に対する各角度は、ディフューザ１８の流体入口におけるプレッシャ側壁面３５のインペラ回転円周の接線方向に対する角度よりも小さくなっている。
【００２２】
このサクション側壁面屈曲部４１とプレッシャ側壁面屈曲部４２とによってディフューザ１８の出口側の流路３０は入口側に対してθだけインペラ１１の回転方向に向かって屈曲することとなる。この屈曲角度θは、２から５度程度でも良いし、ディフューザ１８の入口におけるディフューザ内周の接線方向に対する流線のなす角度がディフューザ１８の出口におけるディフューザ外周の接線方向に対する流線のなす角度に等しくなるような曲線である等角ら線に沿った角度としても良い。
【００２３】
本実施形態においては、流路３０は矩形チャンネル型で、ハブ側壁面３２とシュラウド側壁面３８とは平行となっているので、サクション側壁面屈曲部４１とプレッシャ側壁面屈曲部４２は、プレッシャ側壁面３５とサクション側壁面３３との距離がスロート部の距離の１．１倍、１．２倍となる位置としたが、流路３０の形状が矩形形状以外の形状であったり、ハブ側壁面３２とシュラウド側壁面３８とは平行となっていなかったりする場合には、サクション側壁面屈曲部４１とプレッシャ側壁面屈曲部４２の位置は、スロート部の流路面積のそれぞれ１．１倍、１．２倍となる位置とするのが好適である。
【００２４】
また、サクション側壁面３３、プレッシャ側壁面３５はそれぞれ、サクション側壁面屈曲部４１、プレッシャ側壁面屈曲部４２で屈曲する屈曲平面としてもよいし、サクション側壁面屈曲部４１、プレッシャ側壁面屈曲部４２で屈曲する曲面として構成してもよい。
【００２５】
以上のように構成された遠心圧縮機の動作について、図４を参照しながら説明する。図４に示すように、インペラ１１は反時計回りに回転速度ｕで回転している。インペラ１１に吸い込まれた流体はハブ１３に沿ってその流れの方向が軸方向から半径方向に変わっていくので、流体は遠心力によってハブ１３の側に押し付けられ、インペラ１１内の流路のハブ１３に近い側は流量が多く流速も早くなり、逆のシュラウドに近い側は流量が少なく、流速も遅くなっている。このため、インペラ１１出口においてはハブ側子午面方向速度Ｖｈのほうがシュラウド側子午面方向速度Ｖｓよりも大きく、ハブ側出口流速Ｗｈのほうがシュラウド側出口流速Ｗｓよりも大きくなっている。また、ハブ側、シュラウド側ともにインペラ１１出口の回転速度はｕで一定であることから、シュラウド側出口流速Ｗｓと回転速度ｕとの合成速度ベクトルＣｓの方向は、ハブ側出口流速Ｗｈと回転速度ｕとの合成速度ベクトルＣｈよりもディフューザ１８の内周側に傾いている。このため、シュラウド側の流体はハブ側の流体よりもサクション側壁面３３から離れる方向に向かって流れる。また、流れは等角ら線に沿って流れようとするので、シュラウド側の流体は流線５４のように流れ、ハブ側の流体は流線５３のように流れることとなる。
【００２６】
しかし、流路３０を構成するサクション側壁面３３、プレッシャ側壁面３５はそれぞれ、サクション側壁面屈曲部４１、プレッシャ側壁面屈曲部４２で、各壁面３３，３５のインペラ回転円周の接線方向に対する角度が小さくなるような方向に屈曲しているので、流体はサクション側壁面３３、プレッシャ側壁面３５に沿って流れ、ディフューザ１８の出口から吐出される。
【００２７】
これにより、ハブ側において流体のサクション側壁面からの剥離が減少し、流体の剥離によるディフューザ１８でのサージ現象の発生が抑えられる。特に遠心圧縮機は流量が減少してくると、ハブ側の流量がシュラウド側よりも大きく低下することによって、ハブ側における流体のサクション側壁面からの剥離が大きくなり、サージが発生しやすくなるが、本実施形態によると、ハブ側における流体のサクション側壁面からの剥離を低減することかできるため、ディフューザ１８でのサージの発生を効果的に低減することができ、サージの発生無しで運転できる動作領域を拡大することができるという効果を奏する。
【００２８】
更に、ディフューザ１８内での流体の流れの方向とサクション側壁面３３、プレッシャ側壁面３５の方向との差を少なくすることができ、ディフューザ１８内部での流体の剥離による損失を低減し、ディフューザ１８の効率を向上させることができるという効果を奏する。
【００２９】
本実施形態においては、平板状のくさび形ブロック３９とハブ側壁３１とシュラウド側壁３７とによって構成したチャンネル型の流路を持つチャンネル型ディフューザという簡便な構成によって、ディフューザ１８のサージ現象を低減してその作動領域を広げることができるという効果を奏する。
【００３０】
図５を参照しながら、他の実施形態について説明する。図５はディフューザ１８の流路３０の流れ方向の断面を示している。本実施形態においては、くさび形ブロック３９を挟み込んだハブ側壁面３２とシュラウド側壁面３８とは、平行ではなく、それぞれ、ハブ側、シュラウド側に向かって寸法Ａだけ広がっている。また、流路各壁面３２，３８の広がり形状に合わせて流体出口側に向かって厚くなっている。広がり開始点はスロート部の流路面積の１．１倍の流路面積となるサクション側壁面屈曲部４１との位置とするのが好適である。広がり角度は０．５から２度程度の微小角度である。
【００３１】
このようにチャンネル型のディフューザ１８のハブ側壁面３２とシュラウド側壁面３８とを下流に向かって広げることによって、先に述べた実施形態の効果に加えて、ディフューザ１８での圧力回復を効果的に行うことができるという効果を奏する。
【００３２】
また、本実施形態では、ハブ側壁面３２とシュラウド側壁面３８とがそれぞれハブ側、シュラウド側に向かって広がっているとして説明したが、ハブ側壁面３２だけがハブ側に向かって広がっていることとしても好適であるし、シュラウド側壁面３８だけがシュラウド側に向かって広がっていることとしても好適である。
【図面の簡単な説明】
【００３３】
【図１】本発明の実施形態にかかる遠心圧縮機を示す斜視図である。
【図２】本発明の実施形態にかかる遠心圧縮機のインペラとディフューザを軸方向から見た平面図である。
【図３】本発明の実施形態にかかる遠心圧縮機におけるチャンネル型ディフューザを示す斜視図である。
【図４】本発明の実施形態にかかる遠心圧縮機のインペラとディフューザの流れを示す説明図である。
【図５】本発明の他の実施形態にかかる遠心圧縮機におけるディフューザの断面図である。
【図６】従来技術における遠心圧縮機の断面図である。
【図７】遠心圧縮機のインペラ出口における子午面方向速度の分布図である。
【図８】従来技術における遠心圧縮機のインペラとディフューザの流れの方向を示す図である。
【符号の説明】
【００３４】
１０  遠心圧縮機、１１  インペラ、１２  回転軸、１３  ハブ、１４  ハウジング、１５  シュラウド、１６  吸い込み口、１７  スクロール、１８  ディフューザ、１９   回転翼、２０  静翼、２１  シュラウド側端、２３  ハブ側端、３０  流路、３１  ハブ側壁、３２  ハブ側壁面、３３  サクション側壁面、３５  プレッシャ側壁面、３７  シュラウド側壁、３８  シュラウド側壁面、３９  くさび形ブロック、４１  サクション側壁面屈曲部、４２  プレッシャ側壁面屈曲部、５１〜５４  流線、ｄ１〜ｄ３  距離、ｕ  回転速度、Ｖｈ  ハブ側子午面方向速度、Ｖｓ  シュラウド側子午面方向速度、Ｗｈ  ハブ側出口流速、Ｗｓ  シュラウド側出口流速、αｈ  ハブ側流出角、αｓ  シュラウド側流出角、βｈ  ハブ側流入角、βｓ  シュラウド側流入角、δ  開き角、θ  屈曲角度。
【図１】
2008163821.tif 000003
【図２】
2008163821.tif 000004
【図３】
2008163821.tif 000005
【図４】
2008163821.tif 000006
【図５】
2008163821.tif 000007
【図６】
2008163821.tif 000008
【図７】
2008163821.tif 000009
【図８】
2008163821.tif 000010